(57)【特許請求の範囲】
【請求項１】
ヘッダ部とペイロード部を有するパケットによりデータの送受信がなされる有線ネットワークに接続された基地局と、上記基地局と無線回線もしくは有線回線により通信を行う端末局とを含んで構成される通信システムにおけるパケット通信方法において、
上記基地局は、複数のパケットから構成した伝送フレームにより上記端末局と通信を行い、
上記伝送フレームは、プリアンブルとフレームヘッダ部とフレームヘッダ部誤り訂正符号とフレームペイロード部とフレームペイロード部誤り訂正符号を有しており、上記フレームヘッダ部は上記複数のパケット各々のヘッダ部から、上記フレームペイロード部は上記複数のパケット各々のペイロード部から構成されていることを特徴とするパケット通信方法。
【請求項２】
請求項１記載のパケット通信方法において、
上記フレームヘッダ部は、宛先と上記複数のパケット各々のヘッダ部から抽出したパケット固有の情報から構成されていることを特徴とするパケット通信方法。
【請求項３】
請求項１記載のパケット通信方法において、
上記フレームヘッダ部誤り訂正符号は上記フレームペイロード部誤り訂正符号よりも強い誤り訂正符号がなされていることを特徴とするパケット通信方法。
【請求項４】
ヘッダ部とペイロード部を有するパケットによりデータの送受信がなされる有線ネットワークに接続された基地局と、プリアンブルとフレームヘッダ部とフレームヘッダ部誤り訂正符号とフレームペイロード部とフレームペイロード部誤り訂正符号を有する伝送フレームにより上記基地局と無線回線もしくは有線回線を通じて通信を行う端末局とを含んで構成される通信システムにおけるパケット通信方法において、
上記フレームヘッダ部はｎ個（ｎ≧１の整数）のパケット各々のヘッダ部から、上記フレームペイロード部は上記ｎ個のパケット各々のペイロード部から構成されており、
上記フレームヘッダ部の誤り訂正バイト数ｔ′と上記フレームペイロード部の誤り訂正バイト数ｔとパケットの多重化数ｎの各値は、上記伝送フレームの伝送に要する送信電力を最小化するように選択されたことを特徴とするパケット通信方法。
【請求項５】
ヘッダ部とペイロード部を有するパケットによりデータの送受信がなされるネットワーク環境において使用される通信端末装置であって、
受信したパケットのヘッダ部に付された誤り訂正制御をチェックする受信パケットインタフェースと、
複数のパケットを多重化して伝送フレームを生成する送信インタフェースと、複数のパケットが多重化された伝送フレームからもとの複数のパケットを復元する受信インタフェースと、
復元したパケットのヘッダ部に誤り訂正制御を付加する送信パケットインタフェースとを有し、
上記送信インタフェースは、パケットのヘッダ部を解析するヘッダ解析部とヘッダ部の冗長情報を削除するヘッダ冗長情報削除部と冗長情報を削除したヘッダ部を連結してフレームヘッダ部をペイロード部を連結してフレームペイロード部を生成するデータ連結部とフレームヘッダ部についての誤り訂正符号をフレームペイロード部についての誤り訂正符号を付加する誤り訂正付加部とプリアンブルを付加する同期語付加部とを有し、
上記受信インタフェースは、フレームヘッダ部に付された誤り訂正符号による誤り訂正及びフレームペイロード部に付された誤り訂正符号による誤り訂正を行う誤り訂正回路とフレームヘッダ部及びフレームペイロード部を分割して削除されている冗長情報を付加してパケットを再構成するパケット再構成部とを有することを特徴とする通信端末装置。
【発明の詳細な説明】
【０００１】
【発明の属する技術分野】
本発明は、ＡＴＭ（Ａｓｙｎｃｈｒｏｎｏｕｓ  ｔｒａｎｓｆｅｒ  Ｍｏｄｅ）通信に代表されるパケット通信における通信システムに係り、特に必要な通信品質を維持しつつ、低送信電力による通信を実現する無線パケット通信システムに関する。
【０００２】
【従来の技術】
無線伝送においては、本質的に伝送エラーが生じやすい。そのため、ＡＴＭセルのヘッダ部に加えてペイロード部にも誤り訂正をする方式が提案されている。その際、ヘッダ部にはペイロード部に比べて強力な誤り訂正をすることにより、セルのヘッダに誤りが生じてセルが破棄されることを軽減する。例えば、ＡＴＭセルのヘッダ部にはＲＳ（Ｒｅｅｄ−Ｓｏｌｏｍｏｎ）３重誤り訂正を、ペイロード部にはＲＳ１重誤り訂正を行う方式が、「渡邊、上野、相河、松江『ワイヤレスＡＴＭにおける符号誤り伝送特性』１９９６年電子情報通信学会通信ソサエティ大会  Ｂ−４７４」に記載されている。
【０００３】
有線区間、無線区間を問わず、パケット（もしくはＡＴＭセル）の伝送は、１個もしくは複数のパケットからフレームを構成し、フレームを伝送することによって行われる。図１０は一般的な伝送フレームの構造を示したものである。フレームはプリアンブル１とデータ２００とからなる。データ２００は伝送する本来の情報を含むペイロード部３とペイロード部の情報の宛先や属性等の情報を含むヘッダ部２、ヘッダ部とペイロード部との両方または一方の伝送誤りを訂正する前方誤り訂正符号（ＦＥＣ）、もしくはヘッダ部とペイロード部との両方または一方の伝送誤りを検出する巡回冗長符号（ＣＲＣ）４からなる。
【０００４】
１フレームは１以上のパケットもしくはＡＴＭセルを連結して構成される。ｎパケットから１フレームを構成する従来のフレーム構成を図１１に示す。ｎ個のパケット９、１０、．．．、１２をフレームのペイロード部７に格納し、フレームのヘッダ部６とＦＥＣ（ＣＲＣ）８をつけ加える。
【０００５】
【発明が解決しようとする課題】
パケットあたりの情報量の少ないパケット通信において、パケットごとにフレームを構成し、構成したフレームを伝送する方式では、伝送フレームのペイロード部に対するプリアンブルと伝送フレームのヘッダ部と前方誤り訂正符号や巡回冗長符号のオーバーヘッドが大きく、伝送の効率が悪い。
【０００６】
一方、伝送フレームに複数のパケットをまとめる方式においては、フレーム伝送区間において生じる誤りに対処するため、訂正バイト数を増やすと前方誤り訂正符号が増え、伝送帯域がより多く必要になる。さらに、前方誤り訂正符号やプリアンブルや伝送フレームのヘッダ部による伝送フレームのペイロード部に対するオーバーヘッドの増加によって伝送帯域が増加すると所要通信品質を維持するために必要な送信電力が増加するが、従来、この点については配慮されてこなかった。
【０００７】
【課題を解決するための手段】
本願発明の目的は、ヘッダ部とペイロード部を有するパケットによりデータの送受信がなされる有線ネットワークに接続された基地局と、基地局と無線回線もしくは有線回線により通信を行う端末局とを含んで構成される通信システムにおけるパケット通信方法において、基地局は、複数のパケットから構成した伝送フレームにより端末局と通信を行い、伝送フレームは、プリアンブルとフレームヘッダ部とフレームヘッダ部誤り訂正符号とフレームペイロード部とフレームペイロード部誤り訂正符号を有しており、フレームヘッダ部は複数のパケット各々のヘッダ部から、フレームペイロード部は複数のパケット各々のペイロード部から構成することにより達成される。
【０００８】
【発明の実施の形態】
図１に本発明に係る通信システムが適用されるネットワーク環境の一例を示す。第一のネットワーク５００には、有線インタフェース５１０を介して無線基地局５２０が、有線インタフェース５１３を介して無線中継局５２３が接続されている。第２のネットワーク５０５には、有線インタフェース５１１を介して無線中継局５２１が接続されている。端末５０８は有線インタフェース５１２を介して無線端末局５２２と接続されている。
【０００９】
本発明は、無線端末局５２２と無線基地局５２０との間、或いは無線中継局５２３と無線中継局５２１との間の無線区間での伝送フレームの構成に適用される。端末５０８から基地局５２０へ送信する場合を例にとる。端末５０８は無線端末局５２２にパケットを伝送する。信号処理部５０７においてパケットのヘッダの内容を解析し、宛先ごとに伝送フレームを構成する。伝送フレームは無線部５０６から送信され、無線基地局５２０の無線部５０２で受信される。信号制御部５０１で、伝送フレームの誤り訂正をし、伝送フレームがパケットに変換される。
【００１０】
有線ネットワークがＡＴＭプロトコルに従って通信がなされる場合を例にして、本発明に係る伝送フレームについて図２を用いて説明する。
【００１１】
ＡＴＭセルは５バイトのヘッダ部１３９（符号はＡＴＭセル１のもの）とユーザが伝送したい情報を格納する４８バイトのペイロード部１３３の計５３バイトからなる。ヘッダ１３９は、１バイトのＶＰＩ（仮想パス識別子、Ｖｉｒｔｕａｌ  Ｐａｔｈ  Ｉｄｅｎｔｉｆｉｅｒ）１３０と２バイトのＶＣＩ（仮想チャネル識別子、Ｖｉｒｔｕａｌ  Ｃｈａｎｎｅｌ  Ｉｄｅｎｔｉｆｉｅｒ）１３１と１バイトのＨＥＣ（ヘッダ誤り制御、Ｈｅａｄｅｒ  Ｅｒｒｏｒ  Ｃｏｎｔｒｏｌ）とその他の情報を格納した１バイトの領域１２９がある。領域１２９には、一般フロー制御（ＧＦＣ：Ｇｅｎｅｒｉｃ  Ｆｌｏｗ  Ｃｏｎｔｒｏｌ）、ペイロードタイプ、セル損失優先表示（ＣＬＰ：Ｃｅｌｌ  Ｌｏｓｓ  Ｐｒｉｏｒｉｔｙ）の情報が含まれる。ＡＴＭセルの宛先はＶＰＩ／ＶＣＩにより表示される。
【００１２】
図１に関連して説明したように、無線端末局（基地局、中継局）の信号制御部では宛先ごとにｎのＡＴＭセルをまとめて１つの伝送フレームを構成して無線区間の伝送を行う。本発明に係る伝送フレーム１００について説明する。
【００１３】
伝送フレーム１００は、フレーム同期をとるためのプリアンブル１０１、フレーム制御情報１０２、ヘッダ部１０３、ヘッダ部前方誤り訂正符号１０４、ペイロード部１０５、ペイロード部前方誤り訂正符号１０６を含んで構成される。
【００１４】
ヘッダ部１０３は、いずれか１つのＡＴＭセル（図ではＡＴＭセル１）から抽出したＶＰＩ／ＶＣＩと各ＡＴＭセルから抽出した領域により組み立てられる。ＶＰＩ／ＶＣＩは伝送フレームを構成する各セルについて同一であり、ＨＥＣはヘッダ部前方誤り訂正符号１０４を設けるために削除する。このようにヘッダ部を各セルから抽出した領域から組み立てることにより、各セル固有のヘッダ情報を維持したまま伝送することができる。
【００１５】
ペイロード部１０５は、各ＡＴＭセルから抽出したペイロード部により組み立てられる。
【００１６】
このような伝送フレームの構成により、ヘッダ部において３（ｎ−１）＋ｎバイト省略することができる。また、伝送フレーム１００はヘッダ部１０３とペイロード部１０５について独立に誤り訂正を行っている（１０４、１０６）。これは、一つにはヘッダ部に誤りが生じると伝送フレーム全体あるいは誤りの生じたＡＴＭセルについては破棄せざるを得なくなるため、ペイロード部よりも強い誤り訂正を行うことが望ましいからである。もう一つは、それぞれの誤り訂正バイト数を適切に定めることによって伝送フレームの送信電力を最適化するためである。後者については、シミュレート結果について後述する。
【００１７】
フレーム制御情報１０２については後述する。
【００１８】
図３に無線局の機能ブロック図を示す。無線局７０６の構成は無線基地局５２０、無線端末局５２２、無線中継局５２１、５２４のいずれにも共通である。信号制御部７０１はベースバンド信号処理を行う部分であって、ＡＴＭインタフェース７０２、送信インタフェース７０３、受信インタフェース７０４の機能ブロックを含む。無線部７０５は、信号制御部７０１において処理されたベースバンド信号をアナログ処理し、アンテナより出力する。
【００１９】
有線インターフェース７００から入力したＡＴＭセルはＡＴＭインタフェース７０２で受信し、ＨＥＣチェックを行う。ＡＴＭセルヘッダに誤りがなければ、送信インターフェース７０３で伝送フレームを組み立てる。ヘッダ解析部７１１ではＡＴＭセルヘッダを解析し、ＶＰＩ／ＶＣＩ、もしくはＶＰＩ／ＶＣＩ／セル損失優先表示によりセルを分別する。同一ＶＰＩ／ＶＣＩであるセル集合について、ヘッダ冗長情報削除部７１２でＡＴＭセルのヘッダ部から冗長情報およびＨＥＣを省く。データ連結部７１３では、冗長情報およびＨＥＣが削除されたセルのヘッダ部をまとめて伝送フレームのヘッダ部１０３を、セルのペイロード部をまとめて伝送フレームのペイロード部１０５を構成する。誤り訂正符号付加部７１４では伝送フレームのヘッダ部１０３にＦＥＣ１０４を、ペイロード部１０５にＦＥＣ１０６を付加する。同期語付加部７１５で、同期のためのプリアンブル１０１を付加し、伝送フレーム１００が構成される。伝送フレームは１００は伝送路７１０によって無線部７０５へ送られる。
【００２０】
一方、無線部７０５で受信された伝送フレームは伝送路７２０を通って受信インタフェース７０４に入力される。フレーム同期回路７２１によって、フレームの同期をとる。誤り訂正回路７２２によって、ヘッダ部１０３とヘッダ部前方誤り訂正符号１０４の情報で伝送フレームヘッダ部の誤り訂正を行い、ペイロード部１０５とペイロード部前方誤り訂正符号１０６の情報で伝送フレームペイロード部の誤り訂正を行う。フレーム分割・ＡＴＭセルヘッダ再構成部７２３では誤り訂正後のフレームヘッダ部１０３をセル単位のヘッダ部（１２１、１２２、．．．、１２４）に、フレームペイロード部１０５をセル単位のペイロード部（１２５、１２６、．．．、１２８）に分割し、送信時にヘッダ冗長情報削除部７１２で省いた情報を挿入し（図２の例でいえば、宛先情報であるＶＰＩ／ＶＣＩを各セルに付加する）、ＨＥＣを除くＡＴＭセルを再構成する。ＡＴＭインターフェース７０２ではＡＴＭセルヘッダのＨＥＣを付加し、有線インタフェース７００からＡＴＭセルを送信する。
【００２１】
図４を用いて、図３の送信インタフェース７０３の一実施例を詳細に説明する。この例では、伝送フレームを構成するＡＴＭセルの数ｎを３としている。
【００２２】
ＡＴＭインタフェース７０２からＡＴＭセル４０１、４０２が出力される。ヘッダ解析部７１１では、ＡＴＭセルのＶＰＩ／ＶＣＩとＩＤ管理テーブル４０５に登録されているＶＰＩ／ＶＣＩと照合する。ここで、ＩＤ管理テーブル４０５は、ＶＰＩ／ＶＣＩに対応するＩＤをつけてＡＴＭセルの宛先を管理するものである。ＩＤ管理テーブル４０５に登録されていないＶＰＩ／ＶＣＩのＡＴＭセルが検出されれば、そのＶＰＩ／ＶＣＩに対応するＩＤを決めて、ＩＤ管理テーブル４０５に登録する。ＩＤごとにＡＴＭセルをセル受信ＦＩＦＯ４０４に蓄える。
【００２３】
一定時間ごとにセル受信ＦＩＦＯ４０４から、各ＩＤごとにｎ個（図ではｎ＝３）のＡＴＭセルを読み出し、ＩＤに対応するワークメモリ４１９へ書き込む。セル受信ＦＩＦＯ４０４からＡＴＭセルを読み出すときにｎ個のＡＴＭセルが蓄えられていない場合には、不足分のダミーセルを挿入して合計ｎ個のＡＴＭセルとして読み出す。
【００２４】
ワークメモリ４１９はＩＤごとに多面あり、ヘッダ冗長情報およびＨＥＣの削除とデータの連結に用いられる。図ではワークメモリ４１９を処理の経過に対応させて４段に示している。ワークメモリ４１９に入力されたｎ個のＡＴＭセル（第１段）は、ヘッダの冗長部を削除し（第２段）、ヘッダを連結した部分４１６とペイロードを連結した部分４１５を組み立て、フレーム制御情報４１７を生成する（第３段）。フレームの制御情報４１７は伝送フレームのシーケンス番号、ＡＴＭセルの中にダミーセルを含む場合にはダミーセルの位置を含む。
【００２５】
組み立てられたヘッダとペイロードに対して誤り訂正符号を生成する。誤り訂正符号付加部７１４には、ヘッダ部誤り訂正符号付加回路４２１とペイロード部誤り訂正符号付加回路４２３とを設ける。ヘッダ部誤り訂正符号付加回路４２１では、組み立てたヘッダ部４１６とフレーム制御情報４１７の連結部分について誤り訂正符号４２２を計算する。ペイロード部誤り訂正符号付加回路４２３では、組み立てたペイロード部４１５から誤り訂正符号４２４を計算する。誤り訂正符号付加部７１４の出力４２２、４２４はワークメモリ４１９に書き込まれ、プリアンブルを除くフレーム４１８を組立てられる（第４段）。プリアンブルを除くフレーム４１８に同期語付加部７１５でプリアンブル４３１が付加され、図２に示した伝送フレーム１００が構成される。
【００２６】
なお、有線ネットワークがＡＴＭセルによる伝送方式でなく、一般のパケット伝送方式による場合においても、本発明の伝送フレームを適用することが可能である。図５にｎ個のパケットから構成される伝送フレーム９００を示す。図２で示したＡＴＭセルから組み立てる場合と比較すると、ＶＰＩ／ＶＣＩが宛先アドレスに置き換えたものに相当する。このとき、各パケットからヘッダ部のＣＲＣｂバイト、１のパケットを除き宛先アドレスａバイトを削除し、計ｎｂ＋ａ（ｎ−１）バイト削除する。ＣＲＣがＦＥＣであってもよい。
【００２７】
図６に、各ＡＴＭセルのヘッダ部のＨＥＣのみを除いて伝送フレームを構成した例を示す。この伝送フレームを例にとって、複数のＡＴＭセルから本発明に係る伝送フレームを構成して無線区間を伝送することにより、所定の通信品質（ビットエラーレート）を満たすために必要な送信電力が、複数のＡＴＭセルで伝送フレームを構成することにより低下することを説明する。
【００２８】
プリアンブル長ｋバイトで、ＲＳ符号によりヘッダに対してｔ′バイト、ペイロードに対してｔバイトの訂正をする場合を想定する。この場合、ヘッダのＦＥＣ（前方誤り訂正符号）は２ｔバイト、ペイロードのＦＥＣは２ｔ′バイト必要となる。搬送波電力Ｓは（数１）のように表せる。
【００２９】
【数１】
0003575215.tif 000002
【００３０】
ここで温度一定と仮定すると雑音電力密度Ｎ０が一定になる。さらに無線部でカットする帯域幅が一定とすれば雑音帯域幅Ｂが一定と仮定でき、雑音に関する変数は一定の値をとる。ここでビットレートｆｂはプリアンブルと誤り訂正による帯域の増加比Ｒｂの定数倍で（数２）のように置き換えられる。
【００３１】
【数２】
0003575215.tif 000003
【００３２】
また、ＢＰＳＫ又はＱＰＳＫの遅延検波を仮定すると変復調信号のビットエラーレートは（数３）のように表せる。
【００３３】
【数３】
0003575215.tif 000004
【００３４】
（数１）、（数２）、（数３）より、搬送波電力Ｓは（数４）のように表される。
【００３５】
【数４】
0003575215.tif 000005
【００３６】
ヘッダとペイロードとで要求されるビットエラーレートが相違する場合、ヘッダ部とペイロード部の送信に必要な送信電力ＳＨ及びＳＰは、（数５）、（数６）で表せる。
【００３７】
【数５】
0003575215.tif 000006
【００３８】
【数６】
0003575215.tif 000007
【００３９】
【数７】
0003575215.tif 000008
【００４０】
【数８】
0003575215.tif 000009
【００４１】
なお、（数７）、（数８）はそれぞれヘッダ部とペイロード部のそれぞれに対して誤り訂正前に要求されるビットエラーレートを示している。これらは、誤り訂正後に要求されるビットエラーレートと行われる誤り訂正の強さから求められる。
【００４２】
以下に示す計算値は、（数４）の定数（Ｃｏｎｓｔ）をプリアンブルなし、ペイロードに対する誤り訂正符号なしのペイロードの送信電力を０ｄＢとして規格化したものである。プリアンブル０バイトのとき、誤り訂正後に、ヘッダに対して１０のマイナス１０乗、ペイロードに対して１０のマイナス８乗のビットエラーレートを維持するために必要な搬送波電力を計算したものを図７〜９に示す。ヘッダのビットエラーレートは有線ＡＴＭの規格に準じたもの、ペイロードのビットエラーレートは動画像の伝送において不自然さが生じないと主観的に評価される大きさである。
【００４３】
ここで、図７は伝送フレームを１セルで構成した場合、図８は伝送フレームを２セルで構成した場合、図９は伝送フレームを３セルで構成した場合の計算値を示している。いずれも、横軸は伝送フレームのペイロード部の訂正バイト数ｔ′、縦軸は搬送波電力のデジベル単位の値である。各グラフは、伝送フレームのヘッダ部の訂正バイト数ｔとして０、３、６、９をとった場合のＳＨ（ヘッダ送信電力）、ＳＰ（ペイロード送信電力）の各々を示している。現実には、ヘッダ部とペイロード部とは等しい電力で送信されるため、ＳＨとＳＰとは等しい。したがって、伝送フレームの送信には、ペイロード訂正バイト数ｔをｔ１、ヘッダ訂正バイト数ｔ′をｔ２としたとき、求められるＳＨとＳＰのいずれか大きな方以上の送信電力Ｓを必要とする。例えば、１セルの場合（図７）において、ｔ＝３、ｔ′＝６としたとき、ＳＨは−３．８ｄＢ、ＳＰは−２．４ｄＢであるから、伝送フレームの送信のためには必要な送信電力Ｓは−２．４ｄＢである。
【００４４】
図７より１セルの場合に必要な送信電力Ｓの最小値、及びそのときのヘッダ・ペイロード訂正バイト数を求めることができる。ｔ′（ヘッダ訂正バイト数）を所与としたとき、その送信電力Ｓを最小とするのはＳＨとＳＰの交点である。図７より、ｔ′＝３のときは、ｔ＝３で−２．７ｄＢ、ｔ′＝６のときは、ｔ＝７で−３．２ｄＢ、ｔ′＝９のときは、ｔ＝１３で−３．１ｄＢであり、これらを比較することにより送信電力Ｓを最小とするヘッダ訂正バイト数及びペイロード訂正バイト数を求めることができる。
【００４５】
このようにして計算すると、１セルの場合の伝送フレームの送信電力Ｓの最小値は、−３．４ｄＢであるが、２セルのときは−４．０ｄＢ以下、３セルのときは−４．５ｄＢ以下になることが分かる。すなわち、あるビットエラーレートを満たすために必要な送信電力は複数のＡＴＭセルからフレームを構成することで小さくすることができる。
【００４６】
すなわち、システムはヘッダ部から冗長情報として削除するバイト数、ヘッダ訂正バイト数、ペイロード訂正バイト数、多重化するＡＴＭセルの数を変数として、要求されるビットエラーレートを満たす送信電力が最小となるように、これらの変数の全部または一部を選択することにより、低電力な通信システムが実現できる。
【００４７】
本発明の実施態様について、本発明の伝送フレームを無線区間に適用することを例にとって説明した。しかし、本発明に係る伝送フレームは有線区間においても適用可能なものである。これにより、有線区間においても、伝送区間の誤り率特性が悪い場合には誤り率特性に合わせた伝送が可能になる。この場合の端末局の構成について図３を基に説明する。端末局は無線部７０５に代えて、伝送フレームを有線区間に出力する有線インタフェースを有する。ＡＴＭセルもしくはパケットと伝送フレームの変換は、信号制御部７０１で行われる。生成された伝送フレームは有線インタフェースを通して有線区間に出力される。
【００４８】
【発明の効果】
複数の通信パケットをまとめて伝送し、ヘッダ部の冗長な情報を省くことにより伝送効率を上げることができる。
【００４９】
また、複数の通信パケットのヘッダ部、ペイロード部にまとめて別々に前方誤り訂正をすることにより、１つの通信パケットもしくはＡＴＭセルで伝送する場合に比べて、ヘッダ部とペイロード部に対してそれぞれのビットエラーレートの要求を満たすために必要な搬送波電力を少なくすることができる。
【００５０】
また、フレームのヘッダをパケット（ＡＴＭセル）のヘッダから組み立てることにより、フレーム伝送区間を超えてパケット若しくはＡＴＭセル構造を継承することができる。
【図面の簡単な説明】
【図１】本発明の通信システムが適用されるネットワーク環境を示す図である。
【図２】複数のＡＴＭセルによる伝送フレームの構成例である。
【図３】無線局の機能ブロック図である。
【図４】無線局の送信インタフェースにおけるフレーム構成回路である。
【図５】複数のパケットによる伝送フレームの構成例である。
【図６】複数のＡＴＭセルによる伝送フレームの構成例である。
【図７】プリアンブルが０バイトのときの１個のＡＴＭセルフレーミングの搬送波電力である。
【図８】プリアンブルが０バイトのときの２個のＡＴＭセルフレーミングの搬送波電力である。
【図９】プリアンブルが０バイトのときの３個のＡＴＭセルフレーミングの搬送波電力である。
【図１０】一般的なフレームの構成図である。
【図１１】複数のパケットによるフレームの構成例である。
【符号の説明】
１００：伝送フレーム、１０１：プリアンブル、１０２：フレーム制御情報、１０３：フレームヘッダ部、１０４：フレームヘッダ部誤り訂正符号、１０５：フレームペイロード部、１０６：フレームペイロード誤り訂正符号、４０４：セル受信ＦＩＦＯ、４０５：ＩＤ管理テーブル、４１９：ワークメモリ、５００：ネットワーク、５０８：端末、５２０：無線基地局、５２２：無線端末局、７０２：ＡＴＭインタフェース、７０３：送信インタフェース、７０４：受信インタフェース、７０５：無線部。
【図１】
0003575215.tif 000010
【図２】
0003575215.tif 000011
【図３】
0003575215.tif 000012
【図４】
0003575215.tif 000013
【図５】
0003575215.tif 000014
【図６】
0003575215.tif 000015
【図７】
0003575215.tif 000016
【図８】
0003575215.tif 000017
【図９】
0003575215.tif 000018
【図１０】
0003575215.tif 000019
【図１１】
0003575215.tif 000020